(57)【特許請求の範囲】
【請求項１】
走行車体１に機体左右方向に長く配置した苗載台９を有する苗植装置３を装着すると共に、走行車体１の後部に施肥装置１３の機体左右方向に長く配置したホッパー４３と繰出部４４を設けた苗植機において、苗載台９の横端の苗載台９ｂを中央部に対して着脱自在に設け、且つ、ホッパー４３と繰出部４４のうち機体外側にあるホッパー４３と繰出部４４を中央部のものの前方に向けて収納できる構成としたことを特徴とする苗植機。
【請求項２】
苗載台９の横端の苗載台９ｂを中央部に対して取り外した後に、中央部のものの上方に配置して収納することを特徴とする請求項１記載の苗植機。
【発明の詳細な説明】
【０００１】
【産業上の利用分野】
この発明は、施肥装置を装備した苗植機に関するものである。
【０００２】
【従来技術とその課題】
走行車体の後に苗植装置が装着されて苗植機が構成され、その苗植機に施肥装置を装備したものがあるが、多条植えの苗植機になると、左右幅の長い構成となる。
【０００３】
【課題を解決するための手段】
請求項１記載の発明は、走行車体１に機体左右方向に長く配置した苗載台９を有する苗植装置３を装着すると共に、走行車体１の後部に施肥装置１３の機体左右方向に長く配置したホッパー４３と繰出部４４を設けた苗植機において、苗載台９の横端の苗載台９ｂを中央部に対して着脱自在に設け、且つ、ホッパー４３と繰出部４４のうち機体外側にあるホッパー４３と繰出部４４を中央部のものの前方に向けて収納できる構成とした苗植機とした。従って、苗植機は、圃場を走行すると、苗植装置３が圃場に苗を移植すると同時に、施肥装置１３にて圃場に施肥される。そして、移植作業を行なわない時には、苗載台９の横端の苗載台９ｂを中央部に対して取り外し、ホッパー４３と繰出部４４のうち機体外側にあるホッパー４３と繰出部４４を中央部のものの前方に向けて収納することができ、機体左右幅を短くすることができる。
【０００４】
請求項２記載の発明は、苗載台９の横端の苗載台９ｂを中央部に対して取り外した後に、中央部のものの上方に配置して収納する請求項１記載の苗植機とした。従って、移植作業を行なわない時には、苗載台９の横端の苗載台９ｂを中央部に対して取り外して中央部のものの上方に配置してコンパクトに収納できる。
【０００５】
【効果】
以上のように、この発明によると、移植作業時には、苗植装置３が圃場に苗を移植すると同時に、施肥装置１３にて圃場に施肥することができ、非作業時には、苗載台９の横端の苗載台９ｂを中央部に対して取り外し、ホッパー４３と繰出部４４のうち機体外側にあるホッパー４３と繰出部４４を中央部のものの前方に向けて収納することができ、機体左右幅を簡潔な構成で短くすることができる。
【０００６】
【実施例】
つぎに、この発明の実施例を説明する。図１のように、走行車体１の後にリンク２で苗植装置３が装着されて苗植機が構成されている。
走行車体１は、座席４の下の原動機（図示していない）の動力で回転するそれぞれ１対の前輪５と後輪６を備えている。
【０００７】
苗植装置３は、リンク２の後端に前後方向のローリング軸７で取付けられた歯車箱８と、前上りに傾斜して歯車箱８の上で左右に往復移動する苗載台９と、苗載台９の後で旋回する苗植杆１０と、歯車箱８の下に配置されて泥面を滑走するフロート１１を備えている。
【０００８】
走行車体１に取付けられたシリンダ１２からピストンロッドが斜後上に伸び、その上端がリンク２の中間部に接続し、ピストンロッドが突出すると、リンク２の後端（苗植装置３）が上り、これが収納されると、苗植装置３が下るようになっている。
【０００９】
施肥装置１３が取付けられ、苗の移植を同時に肥料が散布されるようになっている。
図３のように、歯車箱８は、左右が壁８ａ，８ｂで塞がれている。伝動軸１４がこの歯車箱８に横向に配置されて両端が外に突出している。入力軸１５がこの歯車箱８に前後方向に配置され、その端に固定した傘歯車１６が伝動軸１４に固定した傘歯車１７に咬み合って、原動機の動力が出力軸１８（図１）で導入されるようになっている。
【００１０】
回転軸１９が伝動ケース２０の後端で左右に突出し、それぞれの突端に回転ケース２１が固定され（図２）、その回転ケース２１の外側にそれぞれ１対の苗植杆１０が取付けられ、回転軸１９とともに回転ケース２１が回転すると、苗植杆１０が同じような姿勢を保って旋回するように出来ている。そして、この回転ケース２１は、４個用いられている。
【００１１】
左右がほぼ対称なため、左側の拡大図（図４）について説明すると、１つの伝動ケース２０ａは、突出した伝動軸１４がその前部に差し込まれるようにして壁８ａに接触し、図示していないボルトで着脱自在に取付けられている。固定クラッチ２２が伝動ケース２０ａ内で伝動軸１４に固定され、可動クラッチ２３の爪がばねで押されてその爪に咬んでいる。歯輪２４が可動クラッチ２３と１体に作られ、回転軸１９に固定された歯輪（図示していない）とこの歯輪２４とにチェンが巻き掛けられ、伝動軸１４の回転が苗植杆１０に伝達されるようになっている。
【００１２】
なお、可動クラッチ２３には、その外筒面に斜のカムが形成され、ピン２５がばねで押し出されてその先が係合すると、可動クラッチ２３がばねに抗して左に移動し、その爪が固定クラッチ２３の爪から離れて一定の位置で動力の伝達が切断される。ピン２５を引き上げると、ばねで押されてそれぞれの爪が咬み、動力が接続されるように出来ている。
【００１３】
オイルシール２６が壁８ａと伝動軸１４の間に設けられ、歯車箱８内の油が伝動ケース２０ａ側に流れ出すのを封鎖している。なお、壁８ｂ側にも同じように設けられる。
スリーブ２７が伝動ケース２０ａの前部の左側にボルトで着脱自在に固定され、その外端に、外側の伝動ケース２０ｂ（図３）が固定されている。伝動軸１４ａが伝動ケース２０ｂとスリーブ２７内に配置され、軸継手２８がその右端に固定されている。キー２９が伝動軸１４の左端に固定され、軸継手２８が伝動軸１４の左端に重合すると、キー２９が軸継手２８のキー溝に係合し、伝動軸１４の回転が伝動軸１４ａに伝達されるようになっている。そして、伝動軸１４の左端が伝動ケース２０ａの左の面よりも左に突出し、軸継手２８の右端がスリーブ２７の右の面よりも右に突出している。すなわち、互に係合する伝動軸１４と軸継手２８の突端が、それぞれを支えているケース２０ａ，２７の側面よりも突出していて、両者がたやすく係合出来るようになっている。なお、上記と同じようなクラッチ２２，２３が伝動軸１４ａにも設けられる。
【００１４】
図２のように、苗載台９は、前後方向の支切壁９ａを有し、８枚のマット苗が横並びに載せられるようになっている。そして、図１のように、歯車箱８から上に伸びる支柱３０と伝動ケース２０で上下が支えられて左右に移動し得るように出来ている。
【００１５】
図４のように、変速軸３１が伝動軸１４と平行に配置され、これに回動自在に取付けられた４枚の変速歯車３２が、伝動軸１４に固定された４枚の歯車３３に咬み合っている。爪３４が変速軸３１に摺動自在に設けられ、シフタによる移動で変速歯車３２の１つに係合し、その変速歯車３２の１つで伝動軸１４の回動が変速軸３１に回転数を選択して伝達されるように出来ている。中間歯車３５がカム軸３６の歯車３７に咬み合っている。リードカム３６ａがカム軸３６の外筒面に形成され、これが差し込まれた移動メタル３８の爪３９がそのリードカム３６ａに系合し、カム軸３６が回転すると、移動メタル３８が左右に往復駆動されるようになっている。横移動棒４０が歯車箱８に摺動自在に取付けられ、上記の移動メタル３８が固定されている。
【００１６】
苗載台９の下腹部と横移動棒４０の突端とが杆４１で連結され、（図１）原動機の回転が入力軸１５から伝動軸１４に達すると、この苗載台９が左右に往復駆動される。苗受板４２が苗載台９の下端部で伝動ケース２０に固定され、苗載台９から突出した苗の端がこの上で左右に移動するようになっている。前記の８組の苗植杆１０がそれぞれのマット苗に対応して配置され、その先端が苗受板４２の苗取口を通って旋回し、マット苗を欠ぎ取って下の泥土に移植するようになっている。
【００１７】
図２のように、マット苗１枚又は２枚分の横端の苗載台９ｂおよび苗受板４２ｂは、中央のものに対して着脱自在に設けられている。そして、取外した苗載台９の１部９ｂは、図１の鎖線のように、取外していない苗載台９の上に、これと平行に取付けられるようになっている。
【００１８】
図１のように、施肥装置１３は、そのホッパー４３と繰出部４４とが１体的に構成されて、座席４の後で走行車体１に取付けられている。８個の作溝器４５がそれぞれの組の苗植杆１０の横でフロート１１に固定されている。繰出部４４の下部と作溝器４５の間にホース４６が設けられ、繰出部４４内の繰出ローラ４４ａが回転すると、ホッパー４３内の肥料が繰り出され、ホース４６内を通って作溝器４５内に達し、苗の移植と同時に肥料が散布されるようになっている。
【００１９】
図２のように、ホッパー４３と繰出部４４は、中央部の４個の外側にそれぞれ２個が配置され、上下方向のヒンジ４７で外側のものが中央のものの前方に折りたたまれるようになっている。そして、図５のように、横向の伝動軸４８と回動軸４９の両横に伝動軸４８ａと回動軸４９ａが配置されていて、上記のヒンジ４７による回動でそれぞれが軸継手４８ｂ，４９ｂで接続されたり、切り離されたりするように出来ている。なお、伝動軸４８，４８ａの回動は、それぞれのリンク５０，５０ａを経てそれぞれの繰出ローラ４４ａに達する。回動軸４９ａの右端にハンドル５１が設けられ、これで回動軸４９ａを回すと、回動軸４９も回る。そして、これらの回動でそれぞれの繰出ローラ４４ａの繰出溝の横巾が調節され、肥料の散布量が調節出来るようになっている。
【図面の簡単な説明】
【図１】苗植機の全体側面図である。
【図２】苗植機の後部平面図である。
【図３】苗植装置の伝動部の平面図である。
【図４】苗植装置の伝動部の一部拡大平断面図である。
【図５】要部の背面図である。
【符号の説明】
１  走行車体
３  苗植装置
９  苗載台
９ｂ  横端の苗載台
１３  施肥装置
４３  ホッパー
４４  繰出部
【図１】
0003565192.tif 000002
【図２】
0003565192.tif 000003
【図３】
0003565192.tif 000004
【図４】
0003565192.tif 000005
【図５】
0003565192.tif 000006